(57)【特許請求の範囲】
【請求項１】
通信データに応じてスイッチング周波数を変化することが可能な第１のスイッチング電源を有する主電源部と、
前記主電源部の電源出力ラインに接続され、かつ、該主電源部の出力によって作動される第２のスイッチング電源を有する副電源部と
を備え、
前記副電源部は、前記電源出力ライン上に含まれる前記第１のスイッチング電源のスイッチングノイズに基づいて前記通信データを判定する判定手段と、
所定の事象の発生時において、前記第２のスイッチング電源のスイッチングノイズを前記電源出力ライン上の前記第１のスイッチング電源のスイッチングノイズと識別可能な形態で該電源出力ラインに注入するノイズ注入手段と、
自身の異常を検出する異常検出手段とを有し、前記所定の事象の発生時は、前記異常の検出時であり、
前記主電源部は、前記電源出力ラインに注入された前記第２のスイッチング電源のスイッチングノイズを検出する手段を有することを特徴とする分散電源システム。
【請求項２】
前記異常検出手段は、温度の異常を検出するように構成されていることを特徴とする請求項１に記載の分散電源システム。
【請求項３】
前記異常検出手段は、前記第２のスイッチング電源の出力電圧の異常を検出するように構成されていることを特徴とする請求項１に記載の分散電源システム。
【請求項４】
前記ノイズ注入手段は、前記第２のスイッチング電源のスイッチングノイズをコンデンサを介して前記電源出力ラインに注入するように構成されている請求項１に記載の分散電源システム。
【請求項５】
前記副電源部を複数備えることを特徴とする請求項１に記載の分散電源システム。
【発明の詳細な説明】
【技術分野】
【０００１】
本発明は、スイッチング電源を備える主電源部と、この主電源部の出力で作動されるスイッチング電源を含む副電源部とを有した分散電源システムに関し、特に、前記各スイッチング電源のスイッチングノイズを利用して前記主電源部と副電源部間の通信を行うことが可能な分散電源システムに関する。
【背景技術】
【０００２】
従来、スイッチング電源を備える電源装置の出力ラインに通信データを重畳させ、該出力ラインに接続された半導体装置等の負荷において前記通信データを復調するという信号伝送方法が提案されている（例えば、特許文献１）。
【０００３】
前記電源装置の出力ライン上には、上記スイッチング電源のスイッチング周波数と同じ周波数を有するリップル成分が重畳されている。そこで、上記信号伝送方法においては、前記スイッチング電源のスイッチング周波数を上記通信データに従って変化させ、それに伴う前記リップル成分の周波数変化を利用して前記通信データを作成している。
上記通信データの受信側となる上記負荷においては、前記電源ラインに重畳したリップル成分の周波数変化に基づいて上記通信データを復調する。
【０００４】
【特許文献１】特開２００５−３３５３４号公報
【発明の開示】
【発明が解決しようとする課題】
【０００５】
前記従来の信号伝送方法は、専用の通信ラインを設けることなく、負荷にデータを伝達することができるという利点を有する。そこで、スイッチング電源を備える主電源部と、この主電源部の出力で作動されるスイッチング電源を含む副電源部とを有した分散電源システムに、この信号伝送方法を適用することが考えられる。しかし、上記信号伝送方法は、スイッチング電源側から負荷側にデータを伝達する一方行通信機能しか有していないので、上記分散電源システムに適用した場合、副電源部から主電源部側に情報を伝達することができない。
本発明は、このような問題点に鑑み、主電源部と副電源部間の双方向通信が可能な分散電源システムを提供することを目的とする。
【課題を解決するための手段】
【０００６】
本発明では、通信データに応じてスイッチング周波数を変化することが可能な第１のスイッチング電源を有する主電源部と、前記主電源部の電源出力ラインに接続され、かつ、該主電源部の出力によって作動される第２のスイッチング電源を有する副電源部と、を備え、前記副電源部は、前記電源出力ライン上に含まれる前記第１のスイッチング電源のスイッチングノイズに基づいて前記通信データを判定する判定手段と、所定の事象の発生時において、前記第２のスイッチング電源のスイッチングノイズを前記電源出力ライン上の前記第１のスイッチング電源のスイッチングノイズと識別可能な形態で該電源出力ラインに注入するノイズ注入手段と、自身の異常を検出する異常検出手段とを有し、前記所定の事象の発生時は、前記異常の検出時であり、前記主電源部は、前記電源出力ラインに注入された前記第２のスイッチング電源のスイッチングノイズを検出する手段を有することを特徴とする分散電源システムを提供する。
前記異常検出手段は、例えば、温度の異常、あるいは、前記第２のスイッチング電源の出力電圧の異常を検出するように構成される。
前記ノイズ注入手段は、前記第２のスイッチング電源のスイッチングノイズをコンデンサを介して前記電源出力ラインに注入するように構成することができる。
上記分散電源システムは、前記副電源部を複数備えることができる。
【発明の効果】
【０００７】
本発明の分散電源システムによれば、主電源部の電源出力ラインに重畳される主電源部側スイッチング電源のスイッチングノイズを利用して副電源側に通信データを伝達し、前記電源出力ラインに重畳される副電源側のスイッチング電源のスイッチングノイズを利用して主電源側に通信データを伝達するので、専用の通信回線を設けることなく主電源部と副電源部間の双方向通信が可能になる。
【発明を実施するための最良の形態】
【０００８】
図１は、本発明に係る分散型電源システムの実施形態を示すブロック図である。
この分散電源システム１０は、ホストコンピュータ１２と、主電源部１４と、該主電源部１４の電源出力ライン１５（以下、電源ライン１５ともいう）に接続された複数の副電源部１６（１６−１〜１６−ｎ）とから構成されている。副電源部１６−１〜１６−ｎには、それぞれ負荷１８−１〜１８−ｎ（例えば、半導体装置）がそれぞれ接続されている。
【０００９】
図２は、分散電源システム１０における主電源部１４の構成例を示す。この主電源部１４は、周波数変調制御部２２、発振部２４、駆動部２６、検波部３０及び判断部３４を備えている。
周波数変調制御部２２は、上記ホストコンピュータ１２から所定のビット数からなる制御データ（通信データ）を受け取って、発振部２４がこの制御データに対応した周波数の発振を行うように該発振部２４を制御する。
【００１０】
発振部２４は、図３に例示するような構成を有する。この発振部２４において、例えば、スイッチＳa1、Ｓb1がオンされると、抵抗Ｒa1、スイッチＳa1及び一方の開閉素子（例えば、ＰチャンネルＭＯＳ）４２ａを介してコンデンサＣ１が充電される。このコンデンサＣ１の充電電圧が所定電圧Ｖａを超えると、コンパレータ４４ａによってフリップフロップ４６がセットされ、その結果、前記一方の開閉素子４２ａがオフされると共に、他方の開閉素子（例えば、ｎチャンネルＭＯＳ）４２ｂがオンされる。
これにより、上記コンデンサＣ１の電荷が前記他方の開閉素子４２ｂ、抵抗Ｒb1及びスイッチＳb1を介して放電される。コンデンサＣ１の電圧がＶｂまで低下すると、コンパレータ４４ｂによってフリップフロップ４６がリセットされるので、上記一方の開閉素子４２ａがオンし、他方の開閉素子４２ｂがオフされる。以後このような動作が繰り返され、その結果、発振部２４からは図示のような三角波が出力される。
別のスイッチＳa2、Ｓb2がオンされると、抵抗Ｒa2、Ｒb2がそれぞれ選択されて、上記と同様の発振動作が実行される。この実施例では、抵抗Ｒa1、Ｒb1及び抵抗Ｒa2、Ｒb2が選択されたときに、発振部４０がそれぞれ周波数ｆ1及び周波数ｆ2の信号を出力する。
【００１１】
駆動部２６は、電源ライン１５の出力電圧と基準電圧より求められるエラー信号を発振部２４から出力される三角波と比較し、その比較結果に基づき図示しない入力電圧と電源ライン１５の間に設けられた図示しないスイッチング素子を三角波の周波数でスイッチングし、スイッチング素子の出力を平滑して所定の直流電圧を電源ライン１５に出力する。上記発振部２４および駆動部２６は、いわゆるスイッチング電源を構成している。スイッチング電源の動作自体は通常のものなので、その詳細な説明は省略する。駆動部２６の出力電圧には、図４（ａ）に示すように、発振部２４の発振周波数に対応するスイッチングノイズ（上記スイッチング素子の開閉に伴って生じるノイズ）が重畳されている。
ここで、前記ホストコンピュータ１２の制御データ中に、例えば、“０”“１”“０”というデータが含まれているとすると、周波数変調制御部２２は、図３に示す発振部２４におけるスイッチＳa1、Ｓb1をオンし、スイッチＳa2、Ｓb2をオフさせる処理と、スイッチＳa1、Ｓb1をオフし、スイッチＳa2、Ｓb2をオンさせる処理と、スイッチＳa1、Ｓb1をオンし、スイッチＳa2、Ｓb2をオフさせる処理とを所定時間間隔（図７（ａ）の周期Ｔ0）で順次選択的に実行する。これにより、発振部２４の発振周波数は、ｆ1→ｆ2→ｆ1という形態で変化し、その結果、前記電源ライン１５上の直流電圧に含まれるスイッチングノイズの発生間隔も上記周波数の変化ｆ1→ｆ2→ｆ1に対応して変化することになる。
【００１２】
図５は、副電源部１６の構成を例示している。この副電源部１６は、上記電源ライン１５にノイズ除去用のインダクタ６２を介して接続されたレギュレータ部５０と、このレギュレータ部５０から給電される検波部５２、復調制御部５４、発振部５６及び駆動部５８とを備えている。
【００１３】
レギュレータ部５０は、電源ライン１５から供給される直流電圧を安定化するために設けられている。検波部５２は、電源ライン１５から与えられる直流電圧を入力して、この直流電圧に含まれる前記スイッチングノイズ（図４（ａ）参照）を検波し、このスイッチングノイズに対応したパルス信号ＰBを形成する（図７（ａ）参照）。
【００１４】
復調制御部５４は、図６に例示するように切替えスイッチ８２と、前記検波部５２から出力されるパルス信号ＰBが切替えスイッチ８２を介して順次入力される４つのカウンタ８６−１〜８６−４と、該カウンタのカウント値を加算する加算部８７と、該加算部８７の出力に基づいて上記パルス信号ＰBの周波数の切替えを判断する周波数切替え判断部８８とを備えている。
【００１５】
前記切替えスイッチ８２は、スイッチ制御部８４によって所定周期（図７（ｂ）に示す周期Ｔ1，Ｔ2，・・・）で切替え作動される。スイッチ制御部８４は、最初にカウントさせるべきカウンタ８６−１を選択するとともに、該カウンタ８６−１をリセットする。これによって、第１カウンタ８６−１が図８（ｂ）に示す周期Ｔ1において上記パルスＰBをカウントし、そのカウントが終了すると、加算部８７が第１カウンタ８６−１〜第４カウンタ８６−４のカウント値を加算する。現時点においては、第２カウンタ８６−２〜第４カウンタ８６−４のカウント値はゼロであるので、加算部８７の加算値Ｎ1（図７（ｃ）参照）は第１カウンタ８６−１のカウント値ｎ1となる。この加算値Ｎ1は、加算部８７内に設けられた図示していないメモリに格納される。
【００１６】
一方、スイッチ制御部８４は、上記第１カウンタ８６−１のカウントが終了すると、次にカウントさせるべき第２カウンタ８６−２を選択するとともに、該カウンタ８６−２をリセットする。この結果、第２カウンタ８６−２が図７（ｂ）に示す周期Ｔ2において上記パルスＰBをカウントし、そのカウントが終了すると、加算部８７が第１カウンタ８６−１〜第４カウンタ８６−４のカウント値を加算する。現時点においては、第１カウンタ８６−１のカウント値がｎ1、第３カウンタ８６−３、第４カウント８６−４のカウント値がゼロであるので、加算部８７の加算値Ｎ2は、第１カウンタ８６−１のカウント値ｎ1と、周期Ｔ2での第２カウンタ８６−２のカウント値ｎ2の和になる。この加算部８７の加算値Ｎ2も前記メモリに格納される。
【００１７】
周波数切替え判断部８８は、現時点で上記メモリに格納されている前記加算値Ｎ1とＮ2とを比較する。この比較結果は、Ｎ2＞Ｎ1となる。
スイッチ制御部８４は、上記第２カウンタ８６−２のカウントが終了すると、次にカウントさせるべき第３カウンタ８６−３を選択するとともに、該カウンタ８６−３をリセットする。この結果、第２カウンタ８６−３が図７（ｂ）に示す周期Ｔ3において上記パルスＰBをカウントし、そのカウントが終了すると、加算部８７が第１カウンタ８６−１〜第４カウンタ８６−４のカウント値を加算する。現時点においては、第４カウント８６−４のカウント値はゼロであるので、加算部８７の加算値Ｎ3は、周期Ｔ1での第１カウンタ８６−１のカウント値ｎ1と、周期Ｔ2での第２カウンタ８６−２のカウント値ｎ2と、周期Ｔ3での第３カウンタ８６−３のカウント値ｎ3との和になる。この加算部８７の加算値Ｎ3は、前記メモリに格納される。
そして、周波数切替え判断部８８は、加算値Ｎ2とＮ3とを比較する。その比較結果は、Ｎ3＞Ｎ2である。
【００１８】
スイッチ制御部８４は、上記第３カウンタ８６−３のカウントが終了すると、次にカウントさせるべき第４カウンタ８６−４を選択するとともに、該カウンタ８６−４をリセットする。この結果、第４カウンタ８６−４が図７（ｂ）に示す周期Ｔ4において上記パルスＰBをカウントし、そのカウントが終了すると、加算部８７が第１カウンタ８６−１〜第４カウンタ８６−４のカウント値を加算する。このとき、加算部８７の加算値Ｎ4は、周期Ｔ1での第１カウンタ８６−１のカウント値ｎ1と、周期Ｔ2での第２カウンタ８６−２のカウント値ｎ2と、周期Ｔ3での第３カウンタ８６−３のカウント値ｎ3と、周期Ｔ4での第４カウンタ８６−４のカウント値ｎ4との和になる。この加算部８７の加算値Ｎ4は、前記メモリに格納される。
そして、周波数切替え判断部８８は、上記加算値Ｎ3とＮ4とを比較し、Ｎ4＞Ｎ3という比較結果を得る。
【００１９】
以上のようにして、４つのカウンタ８６−１〜８６−４のカウント動作が終了すると、スイッチ制御部８４が再びカウンタ８６−１を選択しかつリセットする。これによりカウンタ８６ａが周期Ｔ5において上記パルスＰBをカウントし、そのカウントが終了すると、加算部８７が第１カウンタ８６−１〜第４カウンタ８６−４のカウント値を加算する。このとき、加算部８７の加算値Ｎ5は、周期Ｔ5での第１カウンタ８６−１のカウント値ｎ5と、周期Ｔ2での第２カウンタ８６−２のカウント値ｎ2と、周期Ｔ3での第３カウンタ８６−３のカウント値ｎ3と、周期Ｔ4での第４カウンタ８６−４のカウント値ｎ4との和になる。この加算Ｎ5は、前記メモリに格納される。
周波数切替え判断部８８は、加算値Ｎ4とＮ5とを比較し、Ｎ4＞Ｎ5という比較結果を得る。
【００２０】
図７（ｃ）に示すように、加算値Ｎ1〜Ｎ4は徐々に増加する傾向を示す。一方、加算値Ｎ5は、加算値Ｎ4に対して低い値を示す。加算値Ｎ5が加算値Ｎ4に対して低い値を示すことは、検波部５２から出力されるパルス信号ＰBの周波数がｆ1からｆ2に変化したことを示す。
そこで、周波数切替え判断部８８は、前記加算値Ｎ4とＮ5の比較結果Ｎ4＞Ｎ5に基づき、上記パルス信号ＰBの周波数がｆ1からｆ2に変化したことを判断する。
【００２１】
以後、周波数切替え判断部８８は同様の動作を繰り返し、それに伴って加算部８７の加算値が図７（ｃ）に示す態様で変化する。図示のように、周期Ｔ8の終了時点における加算部８７の加算値Ｎ8は、周期Ｔ7の終了時点における同加算値Ｎ7よりも大きくなる。加算値Ｎ8が加算値Ｎ7に対して大きい値を示すことは、検波部５２から出力されるパルス信号ＰBの周波数がｆ2からｆ1に変化したことを示す。
そこで、周波数切替え判断部８８は、前記加算値Ｎ7とＮ8の比較結果Ｎ8＞Ｎ7に基づき、上記周波数の変化ｆ2→ｆ1を判断する。
【００２２】
以上のように、周波数切替え判断部８８は、加算部８７の加算値が増加傾向から減少傾向に転じる変化ポイントに基づいてパルス信号ＰBの周波数の変化ｆ1→ｆ2を判断し、上記加算値が減少傾向から増加傾向に転じる変化ポイントに基づいてパルス信号ＰBの周波数の変化ｆ2→ｆ1を判断する。そして、パルス信号ＰBの周波数がｆ1およびｆ2である状態下でスイッチ制御信号Ｓ1およびＳ2をそれぞれ出力する。
【００２３】
周波数切替え判断部８８は、上記パルス信号ＰBの周波数がｆ1→ｆ2→ｆ1という形態で変化することおよびその時間間隔に基づき、前記ホストコンピュータ１０から主電源部１４に与えられた制御データ（この実施例では、“０”“１”“０”）を認識し、この制御データに係る制御を指示するための制御指示信号を出力する。なお、周波数が変化しない場合や最初のデータが何であるかを判断する場合などにおいては、加算部８７のメモリに格納されている加算値を基準値と比較することにより、データが“０”と“１”のどちらかであるかを判断することができる。
【００２４】
上記制御指示信号が、例えば、副電源部１６の出力停止を指示するものである場合には、該信号によって発振部５６の発振および駆動部５８の動作が停止される。また、上記制御指示信号が、副電源部１６の出力電圧の調整（例えば、ある値まで下げること）を指示するものである場合には、この信号によって駆動部５８の電圧調整回路（図示せず）が制御される。
【００２５】
このように、この実施形態に係る分散電源システムによれば、主電源部１４からのデータを電源ライン１５上のスイッチングノイズを利用して副電源部１６側に伝達することができる。
【００２６】
なお、上記ホストコンピュータ１０から与えられる所定ビット数の制御データには、副電源部１６−１〜１６−ｎを識別するためのデータを含ませることができる。制御データに上記識別データを含ませ、かつ、副電源部１６−１〜１６−ｎの復調制御部５４にこの識別データを識別する手段を設けておけば、主電源部１４側から特定の副電源部１６のみに所定の制御データを伝達することが可能になる。
【００２７】
発振部５６は、図３に示した主電源部１４の発振部２４と同様な構成を有している。また、駆動部５８は、主電源部１４の駆動部２６と同様に、電源ライン５９の出力電圧と電源ライン５９に対応して設けられた基準電圧より求められるエラー信号を発振部５６から出力される三角波と比較し、その比較結果に基づき電源ライン１５と電源ライン５９の間に設けられた図示しないスイッチング素子を発振部５６から出力される三角波の周波数でスイッチングし、スイッチング素子の出力を平滑して所定の直流電圧を電源ライン５９に出力する。すなわち、発振部５６と駆動部５８も、いわゆるスイッチング電源を構成している。
【００２８】
復調制御部５４からスイッチ制御信号Ｓ1が出力されると、発振部５６のスイッチＳa1、Ｓb1がオンされるので、該発振部５６が周波数ｆ1で発振する。一方、同制御部５４からスイッチ制御信号Ｓ2が出力されると、発振部５６のスイッチＳa2、Ｓb2がオンされるので、該発振部５６が周波数ｆ2で発振する。
したがって、上記発振部５６は、図７（ｂ）のＴ5周期の終了時点に到るまで周波数ｆ1の発振を行い、上記終了時点に到達した段階で周波数ｆ2の発振に移行する。また、この発振部５６は、図７（ｂ）のＴ8周期の終了時点に到るまで周波数ｆ2の発振を行い、上記終了時点に到達した段階で周波数ｆ1の発振に移行する。
つまり、副電源部１６の発振部５６は、主電源部１４の発振部２４の発振周波数の変化に追従して発振周波数が変化する。従い、副電源部１６のスイッチング素子のスイッチング周波数も、主電源部１４の発振部２４の発振周波数の変化に追従して変化する。この結果、前記駆動部５８からは、図４（ｂ）に示すように、電源ライン１５のスイッチングノイズにシンクロされたスイッチングノイズが重畳された直流電圧が出力されることになる。また、電源ライン１５のスイッチングノイズにより発振部５６の充電動作もしくは放電動作を開始するようにすれば、電源ライン１５のスイッチングノイズが発生するタイミングと電源ライン５９のスイッチングノイズが発生するタイミングが重ならないようにすることができる。
【００２９】
図５に示すように、副電源部１６は、駆動部５８の出力電圧と異常判断用の参照電圧とを比較する比較部６４を備えている。比較部６４は、図１に示す負荷１８の短絡等のために、上記駆動部５８の出力電圧が参照電圧以下となった場合に、異常信号ＳXを復調制御部５４に伝送する。さらに、副電源部１６は、その内部の随所に設けられた計測する温度センサ６０と、この温度センサの検出温度を異常判断用の参照温度と比較する比較部６６とを備えている。比較部６６は、上記計測温度が参照温度以上となった場合に、異常信号ＳYを復調制御部５４に伝送する。
【００３０】
上記比較部６４から出力される異常信号ＳX及び比較部６４から出力される異常信号ＳYは、図６に示すように周波数切替え判断部８８に入力される。
【００３１】
一方、異常信号ＳX又はＳYの発生時には、周波数切替え判断部８８から信号ＳZが出力されて、スイッチ１７がオンされる。
従って、図４（ｂ）に示すスイッチングノイズは、スイッチ１７及び直流カット用のコンデンサを介して電源ライン１５に注入される。この結果、上記異常信号ＳX又はＳYの発生時には、上記電源ライン１５に、図４（ｃ）に示すスイッチングノイズ、つまり、主電源部１４の出力電圧に重畳されているスイッチングノイズに副電源部１６の出力電圧に重畳されているスイッチングノイズが加わったスイッチングノイズが重畳される。
【００３２】
図２に示した主電源部１４の検波部３０は、前記電源ライン１５に重畳された図４（ｄ）に示すスイッチングノイズを検波して、該ノイズの発生周期に従ったパルス信号を出力する。
【００３３】
そして、判断部３４は、このパルス信号の単位時間当たりの発生数と、発振部２４から出力される三角波信号の上記単位時間当たりの発生数とを照合し、それらの発生数の相違に基づいて、副電源部１６の異常を認識する。
判断部３４は、上記異常を判断した場合に、例えば、電源ライン１５への電圧の出力を停止させるべく、発振部２４の発振動作を停止させる。
【００３４】
なお、図６に示す異常信号ＳX又はＳYが発生した場合に、周波数切り替え判断部８８から図３に破線で示すスイッチＳa3、Ｓb3をオンさせ、他のスイッチをオフさせる信号を出力させて、発信部５６の発振周波数をｆ3に変化させるようにしてもよい。この場合、抵抗Ｒa3、Ｒb3は、ｆ3＞＞ｆ1、ｆ2となるように選定される。もしくは、発信部５６の発振周波数を常時ｆ4＞ｆ1、ｆ2（但しｆ4／ｆ1およびｆ4／ｆ2は非整数）なる周波数ｆ4に固定してもよい。
【００３５】
上記のように、構成すれば、上記異常の発生時、電源出力ライン１５上に主電源部１４のスイッチングノイズに上記高周波数ｆ3もしくは周波数ｆ4のスイッチングノイズが加わったノイズが重畳されることになる。これらの場合、電源ライン１５のスイッチングノイズと電源ライン５９のスイッチングノイズの重なりを考える必要はない。従って、主電源部１４の判別部３４においては、上記と同様の手法で、副電源部１６の異常を認識することができる。
【００３６】
なお、上記発振周波数ｆ3もしくはｆ4を副電源部１６−１〜１６−ｎのそれぞれにおいて相違させるようにすれば、前記主電源部１４の制御部３４におけるスイッチングノイズのカウント数に基づいて、いずれの副電源部１６が異常を生じているかを判別することが可能になる。
【００３７】
上記のように、この実施例によれば、副電源部１６の異常を示す情報を主電源部１４側に伝達することが可能である。なお、副電源部１６から主電源部１４に伝達する情報は、上記異常を示す情報に限定されない。
【図面の簡単な説明】
【００３８】
【図１】本発明における分散電源システムの全体構成を示すブロック図である。
【図２】主電源部の構成例を示すブロック図である。
【図３】発振部の構成例を示す回路図である。
【図４】スイッチングノイズの発生タイミングを示す波形図である。
【図５】副電源部の構成例を示すブロック図である。
【図６】復調制御部の構成例を示すブロック図である。
【図７】復調制御部の作用を説明するための波形図である。
【符号の説明】
【００３９】
１０        分散電源システム
１２        ホストコンピュータ
１４        主電源部
１５、５９  電源ライン
１６        副電源部
１８        負荷
２２        周波数変調制御部
２４        発振部
２６        駆動部
２８        フィルタ部
３０        検波部
３４        判断部
４２ａ、４２ｂ  開閉素子
４４ａ、４４ｂ  コンパレータ
４６        フリップフロップ
５０        レギュレータ部
５４        復調制御部
６０        温度センサ
６２        コンデンサ
６４、６６  比較部
８２        切替えスイッチ
８４        スイッチ制御部
８６−１〜８６−４    カウンタ
８７  加算部
８８  周波数切替え判断部
【図１】
0004817051.tif 000002
【図２】
0004817051.tif 000003
【図３】
0004817051.tif 000004
【図４】
0004817051.tif 000005
【図５】
0004817051.tif 000006
【図６】
0004817051.tif 000007
【図７】
0004817051.tif 000008